(57)【特許請求の範囲】
【請求項１】
ケーシングの内部に空気流路を形成して該空気流路の上流側端部に吸込口を設けると共に下流側端部に吹出口を設け、空気流路内にファンと該ファンを駆動するモータとを配置し、ファンを上流側ほど小径な斜流型形状に形成してモータに連結されるハブ部と該ハブ部より突設される複数の羽根とで構成し、ハブ部に長短二種類の長さの羽根を設けたヘアードライヤーにおいて、短い方の羽根の下流側端縁のハブ部の中心軸側の端部を通って前記中心軸を含む平面に対して前記短い方の羽根の下流側端縁の前記中心軸と反対側の端部が回転方向にずれていると共に、長い方の羽根の下流側端縁の前記中心軸側の端部を通って前記中心軸を含む平面に対して前記長い方の羽根の下流側端縁の前記中心軸と反対側の端部が回転方向と反対側にずれ、長い方の羽根から該羽根の圧力面側に隣接する短い方の羽根までのピッチよりも負圧面側に隣接する短い方の羽根までのピッチを長くして成ることを特徴とするヘアードライヤー。
【請求項２】
長短二種類の長さの羽根をハブ部に回転方向に交互に設けて成ることを特徴とする請求項１記載のヘアードライヤー。
【請求項３】
短い方の羽根の空気流れ方向の中心部を長い方の羽根の空気流れ方向の中心部よりも下流側に設けて成ることを特徴とする請求項２記載のヘアードライヤー。
【請求項４】
ハブ部に取付ける複数の羽根を回転方向に非等ピッチとして成ることを特徴とする請求項１乃至３のいずれかに記載のヘアードライヤー。
【発明の詳細な説明】
【０００１】
【発明の属する技術分野】
本発明は、温風を吐出して毛髪の乾燥やセットを行うことができるヘアードライヤーに関するものである。
【０００２】
【従来の技術】
従来より、温風を吐出して毛髪の乾燥やセットを行うヘアードライヤーが使用されている。このヘアードライヤーは、略筒状をした細長いケーシングの内部に空気流路を形成して、ケーシングの上流側端部に吸込口を設けると共に下流側端部に吹出口を設けてあり、ケーシング内に形成された空気流路にはファン，モータ，ヒータが配設してある。
【０００３】
このヘアードライヤーを使用するには、電源スイッチを入れてモータ，ヒータに通電し、吸込口より吸い込んだ空気をファンにて空気流路の下流側に送風し、ヒータにて加温した空気を吹き出して毛髪の乾燥やセットを行うものである。
【０００４】
このようなヘアードライヤーは、コンパクトにするために略筒状をした細長いケーシングを用いており、ファンは上流側ケーシング部と下流側ケーシング部との間の連結部に収納してある。連結部は、小径の上流側ケーシング部と大径の下流側ケーシング部とを連結する上流側ほど小径となる円錐側面状をしたもので、この連結部に収納配置されるファンも連結部に沿うような形状をしたものであり、以下に説明する。
【０００５】
ファンは、図７（ａ）に示すように、回転の中心部に位置するハブ部５と、ハブ部５より突設される羽根６’とで構成される。ハブ部５は、上流側ほど小径な斜流型形状に形成され、その側面部５１の中心軸ｓが空気流れ方向と平行になるように配置される。そして、このハブ部５の側面部５１には、空気を送る羽根６’が突設される。羽根６’は、大略長方形状をした板状のもので、ハブ部５の側面部５１より外側に向けて複数枚が突設される。通常は、この複数枚の羽根６’はハブ部５の側面部５１に均等に配置されて、ファン３’が中心軸ｓ廻りに対称な形状となるように取付けられるものである。
【０００６】
このようなヘアードライヤーは、小型で使い易いものにするため、ケーシングを略筒状の細長い形状に形成して必要な構成部品をコンパクトに収納するものである。そして、ファン３’は上述したように、上流側ほど小径となる円錐側面状をした連結部に配置するもので、ファン３’のハブ部５もこれにほぼ沿うような斜流型形状に形成するものである。このような細長いケーシングに収納配置される構成部品は、小型でコンパクトに形成されるもので、最低限の性能を達成するに過ぎないものである。構成部品の一つのファン３’も同様で、連結部に配置するために斜流型形状としてコンパクトに形成してあり、最低限の風量を達成するに過ぎないものであるが、より早く毛髪を乾燥させるために風量を増大させて余裕を持たせることが望まれていた。
【０００７】
そこで、風量を増大させるため、斜流型形状をしたハブ部５に突設する羽根６’の長さを図７（ｂ）に示すように、ハブ部５に突設した羽根６’の上流側端縁を延長することが考えられる。図７（ｂ）の７”に羽根の延長した上流側端縁を示す。しかし、この場合、羽根６’の長さを長くすることができるものの、上流側端縁が延長されて隣接する羽根に近接するようになるため、この羽根においては、上流側端縁が空気流路を塞いで空気風量が逆に減少してしまうという問題点があった。
【０００８】
また、図示はしないが、羽根の数を増やすことも考えられるが、この場合、羽根の数を増やすことで空気流路が塞がれるため、空気流量は減少してしまうものであった。
【０００９】
また更に、ハブ部５は斜流型形状をしたものであり、この側面部に羽根６’を取り付ける場合、側面部の下流側にはデッドスペースが生じてしまうものであった。
【００１０】
また更に、羽根６’を等ピッチでハブ部５に取付けると、ファン３’の回転に伴う回転騒音が大きくなってしまう。これは、ファン３’の回転騒音は、ファン回転数（ｒｐｍ）／６０×羽根枚数の周波数に現れるピーク騒音で、等ピッチで羽根６’を取り付けるとそのレベルが非常に大きなものとなるものであった。
【００１１】
【発明が解決しようとする課題】
本発明は上記の点に鑑みてなされたものであり、その目的とするところは、上流側ほど小径な斜流型形状をしたハブ部に羽根を取付けて、効率良く空気を送り出して風量を増加でき、また、回転騒音のピーク値のレベルを低減することができるヘアードライヤーを提供することを課題とするものである。
【００１２】
【課題を解決するための手段】
上記課題を解決するために本発明に係るヘアードライヤーは、ケーシングの内部に空気流路を形成して該空気流路の上流側端部に吸込口を設けると共に下流側端部に吹出口を設け、空気流路内にファンと該ファンを駆動するモータとを配置し、ファンを上流側ほど小径な斜流型形状に形成してモータに連結されるハブ部と該ハブ部より突設される複数の羽根とで構成し、ハブ部に長短二種類の長さの羽根を設けたヘアードライヤーにおいて、短い方の羽根の下流側端縁のハブ部の中心軸側の端部を通って前記中心軸を含む平面に対して前記短い方の羽根の下流側端縁の前記中心軸と反対側の端部が回転方向にずれていると共に、長い方の羽根の下流側端縁の前記中心軸側の端部を通って前記中心軸を含む平面に対して前記長い方の羽根の下流側端縁の前記中心軸と反対側の端部が回転方向と反対側にずれ、長い方の羽根から該羽根の圧力面側に隣接する短い方の羽根までのピッチよりも負圧面側に隣接する短い方の羽根までのピッチを長くして成ることを特徴とするものである。このような構成とすることで、回転騒音のピーク値のレベルを抑えることができるものでありながら、空気が流れる領域を効率良く確保して効率良く風量増大を図ることが可能となり、さらに、長い方の羽根から該羽根の圧力面側に隣接する短い方の羽根までのピッチよりも負圧面側に隣接する短い方の羽根までのピッチを長くすることで、回転騒音のピークのレベルを低減することができるものでありながら、長短二種類の羽根による仕事がより一層効率良くなり、一層に風量増大を図ることができる。
【００１３】
また、長短二種類の長さの羽根をハブ部に回転方向に交互に設けることが好ましい。このような構成とすることで、長短二種類の羽根で効率良く空気を送ることを可能とすることができる。
【００１４】
また、短い方の羽根の空気流れ方向の中心部を長い方の羽根の空気流れ方向の中心部よりも下流側に設けることが好ましい。このような構成とすることで、長短二種類の羽根でより一層効率良く空気を送ることを可能とすることができる。
【００１５】
また、ハブ部に取付ける複数の羽根を回転方向に非等ピッチとすることが好ましい。このような構成とすることで、回転騒音のピークのレベルを低減することができる。
【００１８】
【発明の実施の形態】
以下、本発明を添付図面に示す実施形態に基づいて説明する。
【００１９】
本実施形態におけるヘアードライヤーは、図５に示すように、機器が収納されるケーシング１にて本体部が形成される。
【００２０】
ケーシング１は、上流側ケーシング部１２と、下流側ケーシング部１１と、上流側ケーシング部１２と下流側ケーシング部１１とを連結する連結部１３とからなる。上流側ケーシング部１２は細長い略有底筒状をしたもので、下流側ケーシング部１１は細長く上流側ケーシング部１２より大径の大略有底筒状をしたもので、これらは開口側端部同士が連結部１３を介して連結される。連結部１３は、円錐台の側面状に形成されるもので、小径側が上流側ケーシング部１２に接続されると共に大径側が下流側ケーシング部１１に接続される。
【００２１】
このようなケーシング１の内部には空気流路２が形成され、空気流路２の上流側端部（即ち上流側ケーシング部１２の連結部１３と反対側の端部）と下流側端部（即ち下流側ケーシング部１１の連結部１３と反対側の端部）とにはそれぞれ、空気をケーシング１内に吸い込む吸込口２１とケーシング１外へ吹き出す吹出口２２とが形成される。
【００２２】
ケーシング１の内部に形成される空気流路２には、空気を上流側から下流側へと送るためのファン３と、ファン３を駆動するためのモータ４１と、モータ４１を保持すると共に空気の流れを整流する整流翼４２と、空気を加温するためのヒータ部４３とが配設される。ファン３は連結部１３内に、モータ４１と整流翼４２とヒータ部４３は下流側ケーシング部１１内にそれぞれ配設され、ヘアードライヤー使用時に把持部となる上流側ケーシング部１２には、モータ４１やヒータ部４３への通電の入り切りを行うスイッチ部４５が設けてある。
【００２３】
また、下流側ケーシング部１１に形成した吹出口２２の外面側には、ブラシ部４４が設けてあり、吹出口２２より吹き出される温風によって毛髪を乾燥させるだけでなく、整髪も同時に行うことができるものである。
【００２４】
このようなヘアードライヤーを使用するには、下流側ケーシング部１１を掴んでスイッチ部４５を入り状態にし、モータ４１を駆動してファン３を回転させると共にヒータ部４３にて空気を加温して、吸込口２１より吸い込んだ空気を加温して吹出口２２より吹き出して毛髪に吹き付けて毛髪の乾燥や整髪を行うものである。
【００２５】
連結部１３内に配設されるファン３は、図１乃至図３に示すように、回転の中心部に位置するハブ部５と、ハブ部５より突設される羽根６とで構成される。
【００２６】
ハブ部５は、上流側ｕほど小径な斜流型形状に形成するもので、斜流型形状をした側面部５１と軸連結部（特に図示せず）とからなる合成樹脂等で形成されるものである。斜流型形状をした側面部５１の中心軸ｓに沿ってこの側面部５１より筒状部材のような軸連結部を設け、軸連結部にモータ４１の回転軸（特に図示せず）を嵌入したりして連結し、モータ４１の回転軸を回転させてファン３を回転させるものである。このハブ部５は、側面部５１の小径側が上流側ｕ，大径側が下流側ｌとなるように側面部５１の中心軸ｓが空気流れ方向ｘと平行になるように配置される。そして、このハブ部５の側面部５１には、空気を送る羽根６が突設される。
【００２７】
羽根６は、大略長方形状をした板状のもので、ハブ部５の側面部５１より外側に向けて複数枚が突設される。そして、後述するが、本実施形態においては長短２種類の羽根６を取付けるものである。
【００２８】
ハブ部５の側面部５１に取付けられる大略長方形状の羽根６の周端縁は、上流側ｕの端縁である前縁７と、ハブ部５の半径方向イの外側の端縁である外縁８と、下流側ｌの端縁である後縁９とで形成される。
【００２９】
羽根６は、ハブ部５とともに回転して空気を上流側ｕより下流側ｌへと送るため、図２に示すように、即ちハブ部５の中心軸ｓと直交する方向から見て、空気流れ方向ｘの上流側ｕ（即ち前縁７側）ほどハブ部５の回転方向ロ側に、下流側ｌ（即ち後縁９側）ほどハブ部５の回転方向ロと反対側に傾斜するように取付けられる。
【００３０】
そして、本実施形態においては、このような羽根６は短い方の羽根６ａと長い方の羽根６ｂの二種類の長さの羽根６を取付けるもので、特に交互に取り付けてある。
【００３１】
長短二種類の羽根６は、図２に示すように、短い方の羽根６ａの空気流れ方向ｘの中心部を長い方の羽根６ｂの空気流れ方向ｘの中心部よりも下流側ｌに設け、短い方の羽根６ａの後縁９ａと長い方の羽根６ｂの後縁９ｂとがほぼ空気流れ方向ｘの同一位置になるように配置してある。
【００３２】
また、短い方の羽根６ａの後縁９ａの前記中心軸ｓ側の端部９２ａを通って前記中心軸ｓを含む平面Ｐ1に対して前記短い方の羽根６ａの後縁９ａの前記中心軸と反対側の端部９１ａが回転方向ロにずれていると共に、長い方の羽根６ｂの後縁９ｂの中心軸ｓ側の端部９２ｂを通って前記中心軸ｓを含む平面Ｐ2に対して前記長い方の羽根６ｂの後縁９ｂの前記中心軸ｓと反対側の端部９１ｂが回転方向ロと反対側にずれている。このようにすることで、それぞれの羽根６即ち、短い方の羽根６ａと長い方の羽根６ｂとが空気をかき込む領域を効率良く確保することができ、風量増大を図ることができる。
【００３３】
また、このような短い方の羽根６ａと長い方の羽根６ｂは、図３（ａ）に示すように、長い方の羽根６ｂから該羽根６ｂの圧力面６２側に隣接する短い方の羽根６ａまでのピッチθ2よりも負圧面６１側に隣接する短い方の羽根６ａまでのピッチθ1を長くしてあり、これについて以下に説明する。
【００３４】
長い方の羽根６ｂの圧力面６２側に隣接する短い方の羽根６ａまでのピッチθ2と圧力面６２側に隣接する短い方の羽根６ａまでのピッチθ1を異ならせる際、図３（ａ）に示す本実施形態のようにθ1＞θ2とする場合、図４（ａ）のように短い方の羽根６ａの前縁７ａからの剥離流れｆｎが発生するが長い方の羽根６ｂも十分仕事ができるものである。これに対して、図３（ｂ）に示すようにθ1＜θ2とする場合、図４（ｂ）のように長い方の羽根６ｂの前縁７ｂからの剥離流れｆｎが発生すると短い方の羽根６ａが十分仕事ができないものである。
【００３５】
このように羽根６を取付けたファン３の回転騒音を図６（ａ）に示す。図６（ｂ）には、従来のファンで、５枚の羽根を等ピッチで取付けたものの回転騒音を示す。本発明の図６（ａ）は、合計６枚の羽根６を長短二種類の羽根６で構成し、ピッチを変えてあることで、回転騒音のピークのレベルが低減されているのが分かる。
【００３６】
以上のような構成とすることで、長短二種類の羽根６をピッチを変えて取付けたことで、回転騒音のピーク値のレベルを抑えることができるものでありながら、効率良く風量増大を図ることが可能となる。
【００３７】
【発明の効果】
上記のように本発明の請求項１記載の発明にあっては、ケーシングの内部に空気流路を形成して該空気流路の上流側端部に吸込口を設けると共に下流側端部に吹出口を設け、空気流路内にファンと該ファンを駆動するモータとを配置し、ファンを上流側ほど小径な斜流型形状に形成してモータに連結されるハブ部と該ハブ部より突設される複数の羽根とで構成し、ハブ部に長短二種類の長さの羽根を設けたヘアードライヤーにおいて、短い方の羽根の下流側端縁のハブ部の中心軸側の端部を通って前記中心軸を含む平面に対して前記短い方の羽根の下流側端縁の前記中心軸と反対側の端部が回転方向にずれていると共に、長い方の羽根の下流側端縁の前記中心軸側の端部を通って前記中心軸を含む平面に対して前記長い方の羽根の下流側端縁の前記中心軸と反対側の端部が回転方向と反対側にずれ、長い方の羽根から該羽根の圧力面側に隣接する短い方の羽根までのピッチよりも負圧面側に隣接する短い方の羽根までのピッチを長くしているので、回転騒音のピーク値のレベルを抑えることができるものでありながら、空気が流れる領域を効率良く確保して効率良く風量増大を図ることが可能となり、さらに、長い方の羽根から該羽根の圧力面側に隣接する短い方の羽根までのピッチよりも負圧面側に隣接する短い方の羽根までのピッチを長くすることで、回転騒音のピークのレベルを低減することができるものでありながら、長短二種類の羽根による仕事がより一層効率良くなり、一層に風量増大を図ることができる。
【００３８】
また請求項２記載の発明にあっては、上記請求項１記載の発明の効果に加えて、長短二種類の長さの羽根をハブ部に回転方向に交互に設けるので、長短二種類の羽根で効率良く空気を送ることを可能とすることができる。
【００３９】
また請求項３記載の発明にあっては、上記請求項２記載の発明の効果に加えて、短い方の羽根の空気流れ方向の中心部を長い方の羽根の空気流れ方向の中心部よりも下流側に設けるので、長短二種類の羽根でより一層効率良く空気を送ることを可能とすることができる。
【００４０】
また請求項４記載の発明にあっては、上記請求項１乃至３のいずれかに記載の発明の効果に加えて、ハブ部に取付ける複数の羽根を回転方向に非等ピッチとするので、回転騒音のピークのレベルを低減することができる。
【図面の簡単な説明】
【図１】本発明の一実施形態のファンを示し、（ａ）は正面図であり、（ｂ）は背面図である。
【図２】同上のファンを示し、（ａ）は背面方向からみた斜視図であり、（ｂ）は正面方向からみた斜視図である。
【図３】ハブ部に取付ける羽根の取付け方による相違を説明する図であり、（ａ）は長い方の羽根の圧力面側に隣接して短い方の羽根を取付ける場合を説明する説明図であり、（ｂ）は長い方の羽根の負圧面側に隣接して短い方の羽根を取付ける場合を説明する説明図である。
【図４】（ａ）は長い方の羽根の圧力面側に隣接して短い方の羽根を取付ける場合の剥離流れを説明する説明図であり、（ｂ）は長い方の羽根の負圧面側に隣接して短い方の羽根を取付ける場合の剥離流れを説明する説明図である。
【図５】同上のヘアードライヤーを示し、（ａ）は外観図であり、（ｂ）は断面図である。
【図６】ファンの回転騒音の周波数ごとのレベル値を示す図であり、（ａ）は本実施形態の周波数ごとのレベル値であり、（ｂ）は従来例の周波数ごとのレベル値を示す図である。
【図７】従来例を示し、（ａ）は斜視図であり、（ｂ）は正面図である。
【符号の説明】
１  ケーシング
２  空気流路
２１  吸込口
２２  吹出口
３  ファン
４１  モータ
５  ハブ部
６  羽根
【図１】
0003959995.tif 000002
【図２】
0003959995.tif 000003
【図３】
0003959995.tif 000004
【図４】
0003959995.tif 000005
【図５】
0003959995.tif 000006
【図６】
0003959995.tif 000007
【図７】
0003959995.tif 000008